(57)【要約】【課題】少ない部品点数で簡単な構造により、不正解錠を防止すると共に、円滑な施錠・解錠を行なうことができる遊技機用施錠装置を提供する。【解決手段】連結帯板６にはカム部材８の第１係合凸部８ａが進入して嵌合する係合孔６ａが設けられる。施錠状態でカム部材８の第１係合凸部８ａは、連結帯板６の係合孔６ａに嵌入した状態を保持して、連結帯板８の解錠側への摺動を阻止する。受け金具３０Ａ，３０Ｂに摺動係止部材３１が上下に摺動可能に配設される。摺動係止部材３１には表枠ロック爪２，３が係止される係止部３１ａが設けられ、表枠ロック爪２，３の係止方向に付勢するばね部材３２が摺動係止部材３１に装着される。表枠２１を閉じたとき、表枠ロック爪２，３が摺動係止部材３１の係止部３１ａに当って摺動係止部材３１が摺動し、施錠される。【選択図】図１０
2007307141.tif 000002
【特許請求の範囲】
【請求項１】
相互に直角に曲折された取付板と支持板を有する縦長の基枠の該支持板に、１対の表枠ロック爪が背面側に突出し且つ傾動可能に枢支され、該１対の表枠ロック爪間に連結帯板が連結軸により連結されると共に、該基枠内に該連結帯板が該支持板に沿って上下に摺動可能に配設され、シリンダ錠が錠軸を基枠の内側に挿入し正面側に突出して該取付板に取り付けられ、該錠軸にカム部材が固定され、該カム部材に該連結帯板と係合可能な係合凸部が設けられ、該基枠が遊技機の表枠の内側に縦に取り付けられ、遊技機の本体枠の内側に固定された受け金具に該表枠ロック爪が係止されて施錠される遊技機用施錠装置において、
該連結帯板には該カム部材の係合凸部が進入して嵌合する係合孔が設けられ、施錠状態で該カム部材の該係合凸部は、該連結帯板の係合孔に嵌入した状態を保持して、該連結帯板の解錠側への摺動を阻止し、該受け金具には摺動係止部材が上下に摺動可能に配設され、該摺動係止部材に該表枠ロック爪が係止される係止部が設けられると共に、係止方向に付勢するばね部材が装着され、該表枠を閉じたとき、該表枠ロック爪が該摺動係止部材の係止部に当って該摺動係止部材が摺動し、施錠されることを特徴とする遊技機用施錠装置。
【請求項２】
前記受け金具の摺動係止部材に係合部が設けられ、前記基枠にはストッパが揺動可能に枢支されると共に、該ストッパをストップ位置に付勢するためのばね部材が装着され、施錠状態で、該ストッパが該摺動係止部材の該係合部に係合して該摺動係止部材の解錠方向への摺動を阻止することを特徴とする請求項１記載の遊技機用施錠装置。
【請求項３】
前記基枠の支持板の縁部に、前記ストッパ及びばね部材をカバーするカバー壁が設けられたことを特徴とする請求項２記載の遊技機用施錠装置。
【発明の詳細な説明】
【技術分野】
【０００１】
本発明は、パチンコ機などの遊技機に使用される施錠装置に関し、特に不正解錠を防止すると共に、円滑な施錠・解錠を行なうことができる遊技機用施錠装置に関する。
【背景技術】
【０００２】
例えば、パチンコ機の施錠装置として、従来、下記特許文献１に記載される構造の施錠装置が知られている。この施錠装置は、縦長でアングル材形の基枠の上部と下部に各々、パチンコ機の表枠を施錠するための表枠用ロック爪と、金枠（ガラス枠）を施錠するための金枠用ロック爪とを揺動可能に枢支すると共に、基枠内に上下の表枠用ロック爪を連結する表枠用帯板と上下の金枠用ロック爪を連結する金枠用帯板とを摺動可能に配設し構成される。
【０００３】
さらに、基枠の中間部にシリンダ錠が取り付けられ、シリンダ錠の錠軸先端に、カム部材が取り付けられ、カム部材が表枠用帯板と金枠用帯板に係合可能とされ、シリンダ錠の一方向の回動により、カム部材を表枠用帯板に係合させ同帯板を摺動させて表枠を解錠し、シリンダ錠の他方向への回動により、カム部材を金枠用帯板に係合させ同帯板を摺動させて金枠を解錠するように動作する。
【特許文献１】特開２００１−３８０２６号公報
【発明の開示】
【発明が解決しようとする課題】
【０００４】
この種のパチンコ機の施錠装置は、通常、表枠または金枠を閉じると、表枠用ロック爪または金枠用ロック爪が、自動的に傾動して、本体枠側の受け金具または表枠側の受け金具に係止されて施錠され、解錠する際には、シリンダ錠によりカム部材を回動させることにより、表枠用帯板または金枠用帯板を摺動させて解錠操作する。このため、施錠状態において、表枠の隙間から針金などを差し込んで不正に表枠用帯板または金枠用帯板を移動させた場合、表枠用ロック爪または金枠用ロック爪が傾動して、不正解錠が可能となる問題があった。
【０００５】
このために、上記特許文献１の施錠装置では、施錠状態で表枠用帯板と金枠用帯板の移動をロックするロック部材とそのロックを解除するロック解除部材を取り付けている。しかしながら、このロック部材とロック解除部材は金枠用帯板に揺動可能に枢支され、表枠及び金枠の開閉時には揺動し、表枠用帯板などを係止する構造のため、表枠用帯板と金枠用帯板がキーによる解錠時に円滑に移動しない場合があり、また、ロック部材とロック解除部材及びそれらを付勢するコイルばねなどの部材が必要となって部品点数が増大し、製造時の組付工数も増大する課題があった。
【０００６】
本発明は、上述の課題を解決するものであり、少ない部品点数で簡単な構造により、不正解錠を防止すると共に、円滑な施錠・解錠を行なうことができる遊技機用施錠装置を提供することを目的とする。
【課題を解決するための手段】
【０００７】
本発明に係る遊技機用施錠装置は、相互に直角に曲折された取付板と支持板を有する縦長の基枠の該支持板に、１対の表枠ロック爪が背面側に突出し且つ傾動可能に枢支され、該１対の表枠ロック爪間に連結帯板が連結軸により連結されると共に、該基枠内に該連結帯板が該支持板に沿って上下に摺動可能に配設され、シリンダ錠が錠軸を基枠の内側に挿入し正面側に突出して該取付板に取り付けられ、該錠軸にはカム部材が固定され、カム部材には該連結帯板と係合可能な係合凸部が設けられ、該基枠が遊技機の表枠の内側に縦に取り付けられ、遊技機の本体枠の内側に固定された受け金具に該表枠ロック爪が係止されて施錠される遊技機用施錠装置において、該連結帯板には該カム部材の係合凸部が進入して嵌合する係合孔が設けられ、施錠状態で該カム部材の該係合凸部は、該連結帯板の係合孔に嵌入した状態を保持して、該連結帯板の解錠側への摺動を阻止し、該受け金具には摺動係止部材が上下に摺動可能に配設され、該摺動係止部材に該表枠ロック爪が係止される係止部が設けられると共に、係止方向に付勢するばね部材が装着され、該表枠を閉じたとき、該表枠ロック爪が該摺動係止部材の係止部に当って該摺動係止部材が摺動し、施錠されることを特徴とする。
【０００８】
ここで、上記受け金具の摺動係止部材に係合部が設けられ、上記基枠にはストッパが揺動可能に枢支されると共に、該ストッパをストップ位置に付勢するためのばね部材が装着され、施錠状態で、該ストッパが該摺動係止部材の該係合部に係合して該摺動係止部材の解錠方向への摺動を阻止するように構成することができる。また、上記基枠の支持板の縁部に、ストッパ及びばね部材をカバーするカバー壁を設け、針金などの不正器具がストッパやばね部材に到達しにくくすることができる。
【発明の効果】
【０００９】
上記構成の遊技機用施錠装置では、遊技機の本体枠に対し表枠を閉じると、基枠から表枠の背面側に突出した表枠ロック爪の先頭傾斜部が、本体枠側の受け金具の摺動係止部材に当り、これにより摺動係止部材がばね部材の付勢力に抗して摺動し、表枠ロック爪の係止位置に達したとき、ばね部材により摺動係止部材が元の位置に戻り、表枠ロック爪が摺動係止部材の係止部に係止され、施錠状態となる。このような表枠を閉じる際の施錠時、連結帯板の係合孔にカム部材の係合凸部が係合しており、シリンダ錠に鍵が差し込まれていない状態では、シリンダ錠の錠軸は回動しない。然るに、連結帯板及び表枠ロック爪は動かずに受け金具の摺動係止部材が摺動して施錠される。
【００１０】
このような施錠状態においては、カム部材の係合凸部が、連結帯板の係合孔に嵌入した状態を保持して、連結帯板の解錠側への摺動を阻止するため、遊技機の表枠の隙間から針金などの不正工具を差し込んで、連結帯板を動かして表枠ロック爪を傾動させようとしても、連結帯板は摺動せず、従来のように、ロック部材やロック解除部材を取り付けることなく、極めて簡単な構成により、不正解錠を防止することができる。また、シリンダ錠とカム部材を外した状態で、表枠ロック爪は容易に解錠動作可能となるため、シリンダ錠とカム部材を取り外した後の中古の遊技機を取り扱う場合には、それらを容易に取り扱うことができる。
【００１１】
ここで、受け金具の摺動係止部材を不正器具により不正に摺動させて行う不正解錠が考えられるが、上下１対の表枠ロック爪に対応した１対の受け金具の摺動係止部材を同時に摺動させる必要があるため、受け金具の摺動係止部材を動かして不正解錠を行うことは極めて難しい。
【００１２】
また、基枠内にストッパを揺動可能に枢支し、施錠状態で、ストッパが摺動係止部材の係合部に係合して摺動係止部材の解錠方向への摺動を阻止するように構成すれば、針金などの不正器具を差し込んで、受け金具の摺動係止部材を動かして行う不正解錠を防止することができる。
【００１３】
一方、解錠するために、鍵をシリンダ錠に差し込み、回すと、カム部材が回動し、その係合凸部が連結帯板に係合して連結帯板が摺動し、これにより、表枠ロック爪が解錠側に傾動する。よって、表枠ロック爪と受け金具の摺動係止部材との係合が外れ、表枠はスムーズに解錠される。
【発明を実施するための最良の形態】
【００１４】
以下、本発明の一実施形態を図面に基づいて説明する。図１はパチンコ遊技機用の施錠装置の右側面図を示し、図２はその背面図を示し、図３、図４は同施錠装置の分解図を示している。本施錠装置は、縦長で横断面略L字状の基枠１の支持板１２の上部と下部に、各々、パチンコ遊技機の表枠２１を施錠するための表枠ロック爪２，３を揺動可能に枢支し、基枠１内に上下の表枠ロック爪２，３を解錠方向に傾動させる連結帯板６を摺動可能に配設し、基枠１の取付板１１の中間部下寄りにシリンダ錠７を取り付け、シリンダ錠７の錠軸先端に固定したカム部材８を、連結帯板６に係合可能とするように構成される。
【００１５】
基枠１は、図３、図４の分解図に示すように、縦長の略アングル材形状に形成され、表枠２１の内側に固定ねじなどで取り付けられる取付板１１と、取付板１１に対し直角に曲折された支持板１２とを有している。支持板１２の下部に幅広部が設けられ、その幅広部の内側にストッパ９が、後述の受け金具３０Ａ，３０Ｂの摺動係止部材３１の不正移動を阻止するために、揺動可能に枢支されている。また、支持板１２の下端部に、滑り部材１９が取り付けられ、表枠２１を閉鎖する際、本体枠２０に設けた滑り受板２３に滑り部材１９が滑りながら乗り上げ、表枠２１を持ち上げるように作用する。
【００１６】
上部と下部に枢支された１対の表枠ロック爪２，３は、図１のように、枢軸２ａ，３ａを軸に水平位置から斜め下方に傾動可能に枢支され、爪の係止凹部は上方を向き、背面側に水平に突き出すように配設される。１対の表枠ロック爪２，３の末端部（元部）は連結帯板６により連結される。つまり、上部の表枠ロック爪２の末端部に、連結帯板６の上端部が連結軸２ｂにより連結され，下部の表枠ロック爪３の末端部に、連結帯板６の上端部が連結軸３ｂにより連結され、連結帯板６が上方に移動したとき、１対の表枠ロック爪２，３は下に傾動して解錠動作する。基枠１の取付板１１の内側に、円弧形のガイド凸部１１ａが内側に切り起すように突設され、このガイド凸部１１ａと支持板１２との間で連結帯板６は上下摺動可能に支持されている。
【００１７】
基枠１の取付板１１の中間部上寄りに幅広部が形成され、その部分に、シリンダ錠用の開口部が形成され、シリンダ錠７は、基枠１の取付板１１の内側からその開口部に挿入され、フランジ７ａを取付板１１の内側に当てて、錠軸７ｂを内側に配置し、フランジ７ａを取付板１１に締め付け固定して取り付けられる。
【００１８】
シリンダ錠７の取付板１１の内側に突出した錠軸７ｂの先端に、カム部材８が固定される。このカム部材８には、第１係合凸部８ａと第２係合凸部８ｂが設けられ、図２に示すように、第１係合凸部８ａと第２係合凸部８ｂは、基枠１内で、支持板１２及び連結帯板６の側を向いて配設される。そして、カム部材８の第１係合凸部８ａは、施錠状態において、連結帯板６の係合孔６ａに進入して嵌まり込み、連結帯板６の移動を阻止する構造となっている。
【００１９】
さらに、カム部材８の第１係合凸部８ａは、シリンダ錠７にキーを差し込み右に回したとき、図２の反時計方向に回動するが、このとき、第１係合凸部８ａが係合孔６ａ内に進入して係合部６ｂに係合し、連結帯板６を上側に摺動させ、表枠２１の解錠動作を行うように構成される。
【００２０】
また、カム部材８の第１係合凸部８ａは、従来のものより長く突出した形状に形成されており、施錠状態つまり表枠ロック爪２，３が係止状態となり、シリンダ錠７からキーが引き抜かれた、図５の状態において、第１係合凸部８ａが連結帯板６の係合孔６ａに進入している。このため、施錠状態で、連結帯板６を不正に摺動させようとしても、シリンダ錠７の錠軸７ｂ、カム部材８は回動せず、カム部材８の第１係合凸部８ａによって連結帯板６がロックされ、不正解錠を防止することができる。
【００２１】
基枠１内のカム部材８の近傍における支持板１２と連結帯板６の間に、ガラス枠作動板５が上下摺動可能に配設される。ガラス枠作動板５は、図示しないガラス枠施錠具を解錠動作させるための係合突片５ａを有し、この係合突片５ａが支持板１２の開口部から外側に突き出すように配設される。ガラス枠施錠具は、通常、表枠内のガラス枠用の金枠フレーム内に設けられる。
【００２２】
ガラス枠作動板５の下端部には、カム部材８の第２係合凸部８ｂが係合する係合部５ｂが設けられている。第２係合凸部８ｂは、シリンダ錠７にキーを差し込み左に回したとき、図６の時計方向に回動するが、このとき、第２係合凸部８ｂが連結帯板６の係合孔６ａ内に進入し、ガラス枠作動板５の係合部５ｂに係合してこれを下に摺動させる構造である。
【００２３】
図３、図４に示すように、基枠１の支持板１２の上部に、表枠ロック爪２が枢軸２ａを介して水平状態で背面側に突出し且つ水平位置から下方に傾動可能に軸支される。また同様に、支持板１２の下部近傍に、表枠ロック爪３が枢軸３ａを介して水平状態で背面側に突出し且つ水平位置から下方に傾動可能に軸支されている。表枠ロック爪２，３には、遊技機の本体枠側の受け金具３０Ａ，３０Ｂと係合する係止凹部がその上縁側に設けられ、表枠ロック爪２，３が下側に傾動したとき、解錠される構造である。
【００２４】
そして、基枠１内の支持板１２に沿って摺動可能に配設された連結帯板６の上端部が連結軸２ｂを介して表枠ロック爪２の元部に連結され、同様に連結帯板６の下端部が連結軸３ｂを介して表枠ロック爪３の元部に連結される。さらに、支持板１２の下部の幅広部内側に、ストッパ９が枢軸９ａを介して揺動可能に枢支される。ストッパ９は、施錠状態において、後述の受け金具３０Ａ，３０Ｂの摺動係止部材３１が解錠側に移動することを阻止するために、ストッパ９の下端にはストッパ係止部９ｄが内側に曲折して設けられている。表枠２１が閉じる際、摺動係止部材３１の係合部３１ｂとの干渉を避けるために、ストッパ９は揺動可能となっている。
【００２５】
このため、ストッパ９の下部にガイド孔９ｂが揺動方向に形成され、そのガイド孔９ｂにガイドピン９ｃが挿通され、そのガイドピン９ｃの先端が支持板１２に固定される。さらに、ストッパ９の上部と上記連結帯板６との間に、ばね部材１８が掛け渡され、このばね部材１８により連結帯板６が下方に付勢され、ストッパ９は適正なストッパ位置側に付勢される。これにより、連結帯板６は、表枠ロック爪２，３を施錠側に付勢する構造となっている。また、ストッパ９とばね部材１８が装着される基枠１の背面側には、支持板１２の縁部を内側に折り曲げる形態で、カバー壁１２ａが形成され、このカバー壁１２ａが壁となって、外部から差し込まれた不正器具がストッパ９とばね部材１８に達しにくくしている。
【００２６】
一方、取付板１１とガラス枠作動板５の上部との間に、ばね部材１７が掛け渡され、このばね部材１７によりガラス枠作動板５は上方に付勢される。シリンダ錠７に差し込んだキーを左に回してガラス枠を解錠する場合、カム部材８の同方向の回動により、ガラス枠作動板５はばね部材１７の付勢力に抗して下方に移動することになる。
【００２７】
上記構成の施錠装置は、図６に示すように、パチンコ遊技機の前面にヒンジを介して開閉可能に装着された表枠２１の内側の自由端寄りに、縦に固定され、シリンダ錠７の正面鍵口は表枠２１の正面に露出し、表枠ロック爪２，３は表枠２１の背面側つまり本体枠２０側を向いて取り付けられる。
【００２８】
本体枠２０における表枠ロック爪２，３の対応位置には、受け金具３０Ａ，３０Ｂが固定される。受け金具３０Ａ，３０Ｂは、同一形状に形成され、図７〜図９に示すように、その本体が横断面略コ字状とした縦長に形成され、両側の壁部３０ａ、３０ｂの内側に、摺動係止部材３１が上下に摺動可能に配設される。摺動係止部材３１には、表枠ロック爪２，３が係止される係止部３１ａが、側部に直角に曲折して形成されると共に、上記ストッパ９のストッパ係止部９ｄと係合可能な係合部３１ｂが横方向に突出して形成されている。この係合部３１ｂは、施錠時に、図１０に示すように、基枠１内のストッパ９のストッパ係止部９ｄの真下に進入し、摺動係止部材３１が針金などの不正器具により不正に上方へ摺動された場合でも、ストッパ９のストッパ係止部９ｄに当接して不正解錠が不可能となるようにしている。
【００２９】
摺動係止部材３１には縦方向にガイド孔３１ｃが形成され、そのガイド孔３１ｃにガイドピン３１ｄが挿通され、その先端が受け金具３０Ａ，３０Ｂの本体側に固定される。また、ばね部材３２が摺動係止部材３１と本体との間に装着され、ばね部材３２は、摺動係止部材３１を施錠側である下方に付勢している。これにより、表枠２１を閉じた際には、表枠ロック爪２，３の先端傾斜部が摺動係止部材３１の係止部３１ａに当ったとき、摺動係止部材３１がばね部材３２のばね力に抗して一旦上方に摺動し、表枠ロック爪２，３の係止凹部が係止部３１ａに達したとき、摺動係止部材３１がばね部材３２の付勢力により元の位置に戻り、施錠状態となる構造である。
【００３０】
パチンコ遊技機の本体枠２０に対し表枠２１を閉じると、図１１に示すように、施錠装置の表枠ロック爪２，３の先端傾斜部が、本体枠２０の内側の受け金具３０Ａ，３０Ｂの摺動係止部材３１の係止部３１ａに当る。このとき、シリンダ錠７にキーが挿入されてない状態では、シリンダ錠７の錠軸７ｂはロックされているため、カム部材８もロックされて回動できない。さらに、カム部材８の第１係合凸部８ａが連結帯板６の係合孔６ａに嵌合しているため、連結帯板６がその摺動をロックされ、１対の表枠ロック爪２，３は傾動できない。
【００３１】
そこで、摺動係止部材３１がばね部材３２のばね力に抗して一旦上方に摺動し、表枠ロック爪２，３の係止凹部が係止部３１ａに達したとき、摺動係止部材３１がばね部材３２の付勢力により元の位置に戻り、表枠ロック爪２，３は受け金具３０Ａ，３０Ｂの係止部３１ａに係止され、図１０のような施錠状態となる。
【００３２】
このような施錠状態となると、図１０に示すように、カム部材８はその第１係合凸部８ａが連結帯板６の係合孔６ａ内に進入し、嵌合状態にあって、カム部材８は、キーを抜いたシリンダ錠７の錠軸７ｂがロックされた状態にあって、回動不可能であるから、連結帯板６は上下摺動を阻止されている。
【００３３】
したがって、表枠２１の隙間から針金などの不正工具を差し込んで、連結帯板６を動かして表枠ロック爪２，３を傾動させようとしても、連結帯板６は摺動せず、また、受け金具３０Ａ，３０Ｂの摺動係止部材３１を解錠側に不正に摺動させようとしても、ストッパ９により阻止され、これによって不正解錠を防止することができる。
【００３４】
表枠２１を解錠する場合、キーをシリンダ錠７に差し込み、右に回すと、カム部材８が同方向に回動し、その第１係合凸部８ａが図５の反時計方向に回動して連結帯板６を上方に移動させる。このとき、図１２のように、表枠ロック爪２，３が下側に傾動し、表枠ロック爪２，３と各受け金具３０Ａ，３０Ｂの係止部３１ａとの係合がはずれ解錠され、表枠２１が開放される。
【００３５】
ガラス枠を解錠する場合、シリンダ錠７にキーを差し込み、キーを左に回すと、カム部材８の回動により、第２係合凸部８ｂが図１３の時計方向に回動してガラス枠作動板５を下方に移動させる。これにより、ガラス枠作動板５の係合突片５ａが図示しないガラス枠施錠具の摺動片に作用し、ガラス枠が解錠される。
【図面の簡単な説明】
【００３６】
【図１】本発明の一実施形態を示す遊技機用施錠装置の右側面図である。
【図２】同施錠装置の背面図である。
【図３】同施錠装置の分解右側面図である。
【図４】同施錠装置の分解背面図である。
【図５】シリンダ錠、カム部材の部分を示す拡大部分背面図である。
【図６】使用態様を示す施錠状態の右側面図である。
【図７】受け金具の分解左側面図である。
【図８】（ａ）は受け金具の摺動係止部材の左側面図、（ｂ）は摺動係止部材の背面図である。
【図９】受け金具の左側面図である。
【図１０】使用態様を示す施錠時の右側面図である。
【図１１】施錠時の表枠ロック爪と受け金具の動きを示す説明図である。
【図１２】解錠時の表枠ロック爪と受け金具の状態を示す断面付きの右側面図である。
【図１３】ガラス枠作動板の動きを示す背面図である。
【符号の説明】
【００３７】
１      基枠
２      表枠ロック爪
２ａ    枢軸
２ｂ    連結軸
３      表枠ロック爪
３ａ    枢軸
６      連結帯板
６ａ    係合孔
７      シリンダ錠
８      カム部材
８ａ    第１係合凸部
９      ストッパ
９ａ    枢軸
９ｄ    ストッパ係止部
１１    取付板
１２    支持板
１２ａ  カバー壁
２０    本体枠
２１    表枠
３０Ａ、３０Ｂ   受け金具
３１    摺動係止部材
３１ａ  係止部
３１ｂ  係合部
３２    ばね部材
【図１】
2007307141.tif 000003
【図２】
2007307141.tif 000004
【図３】
2007307141.tif 000005
【図４】
2007307141.tif 000006
【図５】
2007307141.tif 000007
【図６】
2007307141.tif 000008
【図７】
2007307141.tif 000009
【図８】
2007307141.tif 000010
【図９】
2007307141.tif 000011
【図１０】
2007307141.tif 000012
【図１１】
2007307141.tif 000013
【図１２】
2007307141.tif 000014
【図１３】
2007307141.tif 000015